【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
広告の供給に使用する装置であって、
広告配信元のコンテンツを記憶する第１のデータ記憶手段と、
前記第１のデータ記憶手段に操作可動なように接続され、かつ１つ又は２つ以上の広告主ユーザの広告コンテンツと同時に表示できる広告配信元のコンテンツの項目を自動的に監視するコンテンツ監視手段と、
前記コンテンツ監視手段と協働して、第１のインタフェース部と、第２のインタフェース部とを同時に表示するユーザインタフェースを広告主ユーザに提供するデータ処理ロジックであって、前記第１のインタフェース部は、特定の広告、及びコンテンツの組の表示を開始するユーザ制御とともに表示できる一組のコンテンツの項目を識別し、前記第２のインタフェース部は、前記特定の広告、及び１つ又は２つ以上のコンテンツの項目の組に対応する広告フィルタデータのユーザに制御される仕様のために使用され、前記広告フィルタデータは、関連する広告供給処理と協働して、前記１つ又は２つ以上の対応するコンテンツの項目に添付することから前記特定の広告を除外するか否かを制御するデータ処理ロジックと、
を有することを特徴とする装置。
【請求項２】
広告を供給する方法であって、
第１のデータ記憶手段に広告配信元のコンテンツの項目を記憶するステップと、
前記第１のデータ記憶手段にアクセスして、１つ又は２つ以上の広告主ユーザの広告コンテンツと同時に表示できる広告配信元のコンテンツの項目を自動的に監視するステップと、
広告主ユーザと相互に作用して、第１のインタフェース部と、第２のインタフェース部とを同時に表示するユーザインタフェースを利用するステップであって、前記第１のインタフェース部は、特定の広告、及びコンテンツの組の表示を開始するユーザ制御とともに表示できる一組のコンテンツの項目を識別し、前記第２のインタフェース部は、前記特定の広告、及び１つ又は２つ以上のコンテンツの項目の組に対応する広告フィルタデータのユーザに制御される仕様のために使用され、前記広告フィルタデータは、関連する広告供給処理と協働して、前記１つ又は２つ以上の対応するコンテンツの項目に添付することから前記特定の広告を除外するか否かを制御するステップと、
を有することを特徴とする方法。
【請求項３】
前記広告フィルタデータは、前記特定の広告と、コンテンツの項目のグループとに対応し、前記関連する広告供給処理と協働して、前記対応するコンテンツの項目のグループに添付することから前記特定の広告を除外するか否かを制御し、及び／又は、
前記広告フィルタデータは、前記特定の広告と、特定のコンテンツの項目とに対応し、前記関連する広告供給処理と協働して、前記対応する特定のコンテンツの項目に添付することから前記特定の広告を除外するか否かを制御し、及び／又は、
前記広告フィルタデータは、第１の部分と、第２の部分とを有し、前記第１の部分は、特定の広告と、コンテンツの項目のグループとに対応し、前記第１の部分は、前記関連する広告供給処理と協働して、前記対応するコンテンツの項目のグループに添付することから前記特定の広告を除外するか否かを制御し、前記第２の部分は、前記特定の広告と、特定のコンテンツの項目とに対応し、前記第２の部分は、前記関連する広告供給処理と協働して、前記対応する特定のコンテンツの項目に添付することから前記特定の広告を除外するか否かを制御し、前記第２の部分は、前記第１の部分の前記制御を無効にする請求項１に記載の装置。
【請求項４】
前記広告フィルタデータを記憶する第２のデータ記憶手段と、
前記第２データ記憶手段と操作可能なように接続され、前記広告供給処理を実行する広告サーバエンジンにより供給される要求を受信し、前記第２データ記憶手段にアクセスして前記要求に関連する広告フィルタデータを取り出し、前記広告サーバエンジンにデータを返信するクエリロジックであって、前記返信データは、前記取り出した広告フィルタデータに基づくものであるクエリロジックとをさらに有する請求項１に記載の装置。
【請求項５】
第２のデータ記憶手段に前記広告フィルタデータを記憶するステップと、
前記広告供給処理を実行する少なくとも１つの広告サーバエンジンにより供給される要求を受信するクエリロジックを操作し、前記第２のデータ記憶手段にアクセスして、前記要求に関連する広告フィルタデータを取り出し、前記広告サーバエンジンにデータを返信するステップであって、前記返信データは、前記取り出した広告フィルタデータに基づくステップと、
をさらに有する請求項２に記載の方法。
【請求項６】
前記クエリロジックに受信される前記要求は、ユーザが要求した広告配信元のコンテンツの項目の識別子を含み、前記クエリロジックは、前記第２のデータ記憶手段にアクセスして、前記要求の前記識別子に対応する広告フィルタデータを取り出し、及び／又は、
前記クエリロジックに受信される前記要求は、前記識別子に識別される前記ユーザが要求した広告配信元のコンテンツの項目に関連する少なくとも１つの主題記述子を含み、前記クエリロジックは、前記第２のデータ記憶手段にアクセスして、前記要求の前記識別子及び前記少なくとも１つの主題記述子に対応する広告フィルタデータを取り出す請求項４に記載の装置。
【請求項７】
前記データ処理ロジックは、特定の広告主ユーザが、前記特定の広告主ユーザのキャンペーンのリストを検査して、関係する様々なタスクを実行できるグラフィカル・ユーザ・インタフェースを広告主ユーザに提示するロジックを含む請求項１に記載の装置。
【請求項８】
前記データ処理ロジックは、前記特定の広告主ユーザのキャンペーン及びそれぞれの広告をリアルタイム追跡して報告するグラフィカル・ユーザ・インタフェースを提示するロジックを含み、及び／又は、
前記データ処理ロジックは、特定の広告主ユーザのキャンペーンを前記特定の広告主ユーザが作成して管理することができるグラフィカル・ユーザ・インタフェースを提示するロジックを含み、及び／又は、
前記データ処理ロジックは、前記特定の広告主ユーザの１つ又は２つ以上のキャンペーンに割り当てられる１つ又は２つ以上のアウトレットを前記特定の広告主ユーザが作成して管理することができるグラフィカル・ユーザ・インタフェースを提示するロジックであって、前記アウトレットは、１つ又は２つ以上の広告配信元ウェブサイト及び１つ又は２つ以上のカテゴリを特定するロジックを含み、及び／又は、
前記データ処理ロジックは、前記特定の広告主ユーザの１つ又は２つ以上の広告ローテーションを前記特定の広告主ユーザが作成して管理することができるグラフィカル・ユーザ・インタフェースを提示するロジックであって、前記広告ローテーションは、前記広告主ユーザの１つ又は２つ以上の広告を１つ又は２つ以上のアウトレットに割り当てるロジックを含む請求項７に記載の装置。
【請求項９】
前記クエリロジックは、供給された前記要求にアウトレットが対応する広告ローテーションに割り当てられる１つ又は２つ以上の広告に関連する情報をデータリポジトリから取り出し、前記広告供給処理において使用するために前記広告サーバエンジンに該情報を返信する請求項８に記載の装置。
【請求項１０】
前記クエリロジックに供給される前記要求は、ユーザが要求した広告配信元のコンテンツの項目に関連する識別子及び少なくとも１つの主題記述子を含み、
前記クエリロジックは、前記要求の前記識別子及び少なくとも１つの主題記述子にアウトレットが対応する広告ローテーションに割り当てられる１つ又は２つ以上の広告に関連する情報を前記データリポジトリから取り出し、前記広告供給処理において使用するために前記広告サーバエンジンに該情報を返信する請求項８に記載の装置。
【請求項１１】
前記コンテンツ監視手段は、１つ又は２つ以上の広告主ユーザの広告コンテンツと同時に表示できる広告配信元のコンテンツの項目に自動的にアクセスするシンジケーション（syndication）手段を採用する請求項１に記載の装置。
【請求項１２】
前記シンジケーション手段は、ＲＳＳ(Real  Simple  Syndication)のような標準的なシンジケーション機構を採用する請求項１１に記載の装置。
【請求項１３】
広告を供給するシステムであって、
広告を供給する広告供給処理を実行する少なくとも１つの広告サーバエンジンと、
請求項１、３、４、及び６〜１２に記載の装置と、
を有することを特徴とするシステム。
【請求項１４】
前記広告は、バーナ型広告、ゲートウェイ型広告、すきま型広告、バンパ型広告を含むグループから選択される請求項１、３、４、及び６〜１２に記載の装置。